(57)【要約】【課題】静止画像データおよび／または動画像データからスライドショー形式の連続再生動画像データを簡易に生成する。【解決手段】メモリカード２１のフォルダ構造に書き込まれた静止画像データおよび／または動画像データを読取手段１１により読み取り、フォルダの選択を受け付ける。これにより、選択されたフォルダに書き込まれた静止画像データおよび／または動画像データが撮影日時順に配置されて、スライドショー形式の連続再生動画像データＲ０が作成される。【選択図】　　　　　図１
2004064396.tif 000002
【特許請求の範囲】
【請求項１】
複数の静止画像データおよび／または動画像データを連続して再生する連続再生動画像データを生成する画像生成方法において、
所定の記録単位で前記複数の静止画像データおよび／または動画像データの選択を受け付け、
該選択された複数の静止画像データおよび／または動画像データを所定の順序で配置して前記連続再生動画像データを生成することを特徴とする画像生成方法。
【請求項２】
前記所定の記録単位は、前記複数の静止画像データおよび／または動画像データが書き込まれたフォルダ単位であることを特徴とする請求項１記載の画像生成方法。
【請求項３】
前記静止画像データおよび／または動画像データに付与された付帯情報に基づいて、前記所定の順序を決定することを特徴とする請求項１または２記載の画像生成方法。
【請求項４】
複数の静止画像データおよび／または動画像データを連続して再生する連続再生動画像データを生成する画像生成装置において、
所定の記録単位で前記複数の静止画像データおよび／または動画像データの選択を受け付ける選択受け付け手段と、
該選択された複数の静止画像データおよび／または動画像データを所定の順序で配置して前記連続再生動画像データを生成する動画像データ生成手段とを備えたことを特徴とする画像生成装置。
【請求項５】
前記所定の記録単位は、前記複数の静止画像データおよび／または動画像データが書き込まれたフォルダ単位であることを特徴とする請求項４記載の画像生成装置。
【請求項６】
前記動画像データ生成手段は、前記静止画像データおよび／または動画像データに付与された付帯情報に基づいて、前記所定の順序を決定する手段であることを特徴とする請求項４または５記載の画像生成装置。
【請求項７】
複数の静止画像データおよび／または動画像データを連続して再生する連続再生動画像データを生成する画像生成方法をコンピュータに実行させるためのプログラムにおいて、
所定の記録単位で前記複数の静止画像データおよび／または動画像データの選択を受け付ける手順と、
該選択された複数の静止画像データおよび／または動画像データを所定の順序で配置して前記連続再生動画像データを生成する手順とを有するプログラム。
【請求項８】
前記所定の記録単位は、前記複数の静止画像データおよび／または動画像データが書き込まれたフォルダ単位である請求項７記載のプログラム。
【請求項９】
前記連続再生動画像データを生成する手順は、前記静止画像データおよび／または動画像データに付与された付帯情報に基づいて、前記所定の順序を決定する手順を有する請求項７または８記載のプログラム。
【発明の詳細な説明】
【０００１】
【発明の属する技術分野】
本発明は、例えばデジタルカメラ等により取得した静止画像データおよび／または動画像データから、静止画像データおよび／または動画像データを連続して再生するスライドショー形式の連続再生動画像データを生成する画像生成方法および装置並びに画像生成方法をコンピュータに実行させるためのプログラムに関するものである。
【０００２】
【従来の技術】
デジタルカメラの普及により、様々な静止画像データや動画像データを取得することができるが、パソコンを用いてこれらのデータの編集を行い、１つにつなぎ合わせてスライドショー形式の映像作品を作成するためのオーサリングツールと称されるソフトウェアが多数提供されている。
【０００３】
このようなオーサリングツールにおいては、静止画像データや動画像データのサムネイル画像からなる一覧画面を表示し、この一覧画面において映像作品を作成するための静止画像データおよび／または動画像データを一つずつ選択し、選択した静止画像データおよび／または動画像データを所望とする順序に配置することにより、スライドショー形式の動画像データ（以下連続再生動画像データとする）が生成される。
【０００４】
一方、静止画像データや動画像データのようなマルチメディア情報の編集を容易に行うために種々の方法が提案されている。例えば特開２０００−１４９０４３号公報には、マルチメディアを再生するシナリオを作成する際に、シナリオがリンクする素材の実体ファイルにそのデータ形式を変換した実体ファイルをリンクさせ、データ形式の切り替えを円滑に行う方法が記載されている。また、特開２０００−３５０１５０号公報には、編集した映像を再生する際に、所望とする映像を所望とする速度で再生することにより、編集を効率よく行う方法が記載されている。
【０００５】
【発明が解決しようとする課題】
しかしながら、上記特開２０００−１４９０４３号公報および同２０００−３５０１５０号公報に記載された方法であっても、連続再生動画像データに含める静止画像データや動画像データは、複数の静止画像データおよび動画像データからマニュアル操作により選択する必要がある。このため、連続再生動画像データを生成するのに多大な労力を要するものとなっている。
【０００６】
本発明は上記事情に鑑みなされたものであり、スライドショー形式の連続再生動画像データを簡易に作成することを目的とする。
【０００７】
【課題を解決するための手段】
デジタルカメラにおいて取得された静止画像データおよび動画像データは、メモリカード内のフォルダ構造内に例えば時系列に書き込まれる。本発明はこの点に着目してなされたものである。
【０００８】
すなわち、本発明による画像生成方法は、複数の静止画像データおよび／または動画像データを連続して再生する連続再生動画像データを生成する画像生成方法において、
所定の記録単位で前記複数の静止画像データおよび／または動画像データの選択を受け付け、
該選択された複数の静止画像データおよび／または動画像データを所定の順序で配置して前記連続再生動画像データを生成することを特徴とするものである。
【０００９】
なお、本発明による画像生成方法においては、前記所定の記録単位を、前記複数の静止画像データおよび／または動画像データが書き込まれたフォルダ単位としてもよい。
【００１０】
また、本発明による画像生成方法においては、前記静止画像データおよび／または動画像データに付与された付帯情報に基づいて、前記所定の順序を決定するようにしてもよい。
【００１１】
「付帯情報」とは例えば静止画像データおよび／または動画像データがＥｘｉｆ形式のデータである場合に、静止画像データおよび／または動画像データのタグ情報を用いることができる。タグ情報には、静止画像データおよび／または動画像データの撮影日時、ファイル名、撮影場所に関する情報、ファイル容量等が記述されることから、これらの情報を参照することにより、所定の順序が決定される。
【００１２】
本発明による画像生成装置は、複数の静止画像データおよび／または動画像データを連続して再生する連続再生動画像データを生成する画像生成装置において、
所定の記録単位で前記複数の静止画像データおよび／または動画像データの選択を受け付ける選択受け付け手段と、
該選択された複数の静止画像データおよび／または動画像データを所定の順序で配置して前記連続再生動画像データを生成する動画像データ生成手段とを備えたことを特徴とするものである。
【００１３】
なお、本発明による画像生成装置においては、前記所定の記録単位を、前記複数の静止画像データおよび／または動画像データが書き込まれたフォルダ単位としてもよい。
【００１４】
また、本発明による画像生成装置においては、前記動画像データ生成手段を、前記静止画像データおよび／または動画像データに付与された付帯情報に基づいて、前記所定の順序を決定する手段としてもよい。
【００１５】
なお、本発明による画像生成方法をコンピュータに実行させるためのプログラムとして提供してもよい。
【００１６】
【発明の効果】
本発明によれば、複数の静止画像データおよび／または動画像データの選択が所定の記録単位で受け付けられ、選択された複数の静止画像データおよび／または動画像データが所定の順序で配置されて連続再生動画像データが生成される。このため、連続再生動画像データを生成するユーザは、例えばフォルダのように所定の記録単位で静止画像データおよび／または動画像データを選択するという簡易な操作を行うのみで、静止画像データおよび／または動画像データが所定の順序で配置された連続再生動画像データを生成することができる。
【００１７】
また、所定の記録単位をフォルダ単位とすることにより、連続再生動画像データを生成する静止画像データおよび／または動画像データの選択が容易となる。
【００１８】
また、付帯情報に基づいて所定の順序を決定することにより、連続再生動画像データにおける静止画像データおよび／または動画像データの配置が容易となる。
【００１９】
【発明の実施の形態】
以下図面を参照して本発明の実施形態について説明する。図１は本実施形態による画像生成装置の構成を示す概略ブロック図である。本実施形態による画像生成装置は、デジタルカメラ２０において撮影を行うことにより取得された静止画像データおよび／または動画像データからスライドショー形式の連続再生動画像データを生成するものである。
【００２０】
図１に示すように、本実施形態による画像生成装置１は、デジタルカメラ２０において撮影を行うことにより取得された静止画像データおよび／または動画像データが記録されたメモリカード２１から静止画像データおよび／または動画像データを読み取るカードリーダ等の読取手段１１と、種々の入力を行うキーボードおよびマウスからなる入力手段１２と、画像生成装置１の制御を行う制御手段１３と、制御手段１３を駆動させる制御プログラムを記録したＲＯＭ１４と、作業領域となるＲＡＭ１５と、種々のデータをＣＤ−ＲまたはＤＶＤ−Ｒ等のメディアＭに記録するメディアドライブ１６と、種々の表示を行うモニタ１７とを備える。
【００２１】
デジタルカメラ２０において取得された静止画像データおよび／または動画像データは、メモリカード２１のフォルダ構造内に記録される。図２は、フォルダ構造の例を示す図である。図２に示すように、メモリカードのフォルダ構造には、最上位の「￥ＤＣＩＭ」フォルダの下位に、「￥１００−ＦＵＪＩ」、「￥１０１−ＦＵＪＩ」…のフォルダが記録され、各フォルダに静止画像データおよび／または動画像データが書き込まれている。図２に示す例においては、「￥１００−ＦＵＪＩ」フォルダに、ファイル名がＤＳＣＦ０００１．ＪＰＧ，ＤＳＣＦ０００２．ＪＰＧ，ＤＳＣＦ０００３．ＡＶＩ，ＤＳＣＦ０００４．ＪＰＧ…の静止画像データおよび動画像データが書き込まれている。なお、拡張子が「ＪＰＧ」は静止画像データであり、「ＡＶＩ」は動画像データである。
【００２２】
ＲＯＭ１４には制御プログラムが記録されており、この制御プログラムにより制御手段１３が駆動される。具体的には、まず、制御プログラムにより制御手段１３が各フォルダに書き込まれた静止画像データおよび／または動画像データから例えばファイル名が先頭の静止画像データおよび／または動画像データを代表画像として選択し、その代表画像のサムネイル画像を生成し、各フォルダの代表画像のサムネイル画像をモニタ１７に表示する。
【００２３】
図３は、モニタ１７に表示された各フォルダの代表画像のサムネイル画像を示す図である。続いて、制御プログラムにより制御手段１３が入力手段１２によるサムネイル画像の選択を受け付ける。そして、生成ボタン３０がクリックされると、選択されたフォルダに書き込まれた静止画像データおよび／または動画像データを、撮影日時順に配置したスライドショー形式の連続再生動画像データＲ０を作成する。なお本実施形態においては、「￥１００−ＦＵＪＩ」フォルダが選択されたものとする。
【００２４】
図４は、連続再生動画像データＲ０の例を示す図である。連続再生動画像データＲ０は、選択したフォルダに書き込まれている静止画像データについては、１コマ毎に静止画像データの反復映像を含み、動画像データについてはその動画像データにより表される動画像を含むものとなる。ここで、静止画像データの反復数は、各静止画像をそれぞれ例えば４秒間だけスライドショー形式の動画像として再生することが可能な数とする。なお、この時間は予めユーザが設定することが可能なものである。
【００２５】
また、連続再生動画像データＲ０には、各コマ毎にコマ番号や撮影日時等の文字情報を字幕として付与することが可能であり、さらに各画像データに対する音声データ（図４示す曲１等）を付与することが可能である。例えば、図４におけるＤＳＣＦ０００１．ＪＰＧには、フォルダ名およびファイル名を表す「１００−０００１」の文字および撮影日を表す「２００２／６／２８」の文字が字幕として付与され、曲１がＢＧＭとして付与される。
【００２６】
これにより、再生中の画像中に字幕を表示したり、画像再生中に音声をＢＧＭとして再生することができる。なお、付与する字幕および音楽の設定は、ユーザによる入力手段１２からの入力により行われる。
【００２７】
なお、デジタルカメラ２０が撮影時に同時に音声を録音できる機能を有する場合、静止画像データが画像ファイルと撮影時に録音した音声を表す音声ファイルとからなる場合がある。このような場合には、例えばＤＳＣＦ０００２．ＪＰＧのように、連続再生動画像データＲ０の生成時に静止画像データを構成する音声ファイルを連続再生動画像データＲ０に含めるようにしてもよい。
【００２８】
次いで、本実施形態の動作について説明する。図５は本実施形態において行われる処理を示すフローチャートである。まず、読取手段１１によりメモリカード２１のフォルダ構造に書き込まれた静止画像データおよび／または動画像データが読み取られ（ステップＳ１）、各フォルダの代表画像のサムネイル画像が生成され（ステップＳ２）、これがモニタ１７に表示される（ステップＳ３）。続いて、サムネイル画像の選択および連続再生動画像データＲ０生成の指示がなされたか否かの監視が開始され（ステップＳ４）、ステップＳ４が肯定されると、選択されたフォルダに記録された静止画像データおよび／または動画像データが撮影日時順に配置されて連続再生動画像データＲ０が生成され（ステップＳ５）、処理を終了する。
【００２９】
生成された連続再生動画像データＲ０は、ユーザによる再生指示によりモニタ１７にスライドショー形式の動画像として表示される。また、メディアドライブ１６により、ＣＤ−ＲやＤＶＤ−Ｒ等のメディアＭに連続再生動画像データＲ０を記録することもできる。
【００３０】
このように、本実施形態においては、静止画像データおよび／または動画像データが書き込まれたフォルダを選択して連続再生動画像データＲ０の作成を指示することにより、選択したフォルダに書き込まれた複数の静止画像データおよび／または動画像データを撮影日時順で配置して連続再生動画像データＲ０を生成するようにしたものである。このため、連続再生動画像データＲ０を生成するユーザは、フォルダを選択するという簡易な操作を行うのみで静止画像データおよび／または動画像データが撮影日時順で配置された連続再生動画像データＲ０を生成することができる。
【００３１】
なお、上記実施形態においては、撮影日時順で静止画像データおよび／または動画像データを配置して連続再生動画像データＲ０を生成しているが、静止画像データおよび／または動画像データをファイル名順に配置して連続再生動画像データＲ０を生成してもよい。また、静止画像データおよび／または動画像データがＥｘｉｆ形式のデータであり、タグ情報に撮影場所に関する情報が記述されている場合には、撮影場所順（例えば撮影場所が北から南へ向かう順）に静止画像データおよび／または動画像データを配置して連続再生動画像データＲ０を生成してもよい。
【図面の簡単な説明】
【図１】本実施形態の実施形態による画像生成装置の構成を示す概略ブロック図
【図２】フォルダ構造の例を示す図
【図３】モニタに表示されたサムネイル画像を示す図
【図４】連続再生動画像データを示す図
【図５】本実施形態において行われる処理を示すフローチャート
【符号の説明】
１　　画像生成装置
１１　　読取手段
１２　　入力手段
１３　　制御手段
１４　　ＲＯＭ
１５　　ＲＡＭ
１６　　メディアドライブ
１７　　モニタ
２０　　デジタルカメラ
２１　　メモリカード
【図１】
2004064396.tif 000003
【図２】
2004064396.tif 000004
【図３】
2004064396.tif 000005
【図４】
2004064396.tif 000006
【図５】
2004064396.tif 000007